(57)【特許請求の範囲】
【請求項１】
枠体と、
前記枠体に対して回動自在なドア本体と、
前記ドア本体の回動と連動して、前記枠体及び前記ドア本体のうちの一方に対して直線状に移動する移動部材と、
一端部が、前記移動部材に回動可能に連結され、他端部が、前記枠体及び前記ドア本体のうちの他方に回動可能に連結された連結部材と、
前記枠体及び前記ドア本体のうちの前記一方に設けられ、
前記移動部材が第１位置に達した際に前記移動部材と係合する係合部材を有し、前記移動部材が前記第１位置から第２位置へ移動する間、前記係合部材を介して前記移動部材に外力を作用させる外力作用装置と、
を備えたことを特徴とする建具。
【請求項２】
請求項１に記載の建具において、
前記外力作用装置は、前記移動部材が前記第２位置に至ったときに前記係合部材を保持する保持機構を有することを特徴とする建具。
【請求項３】
請求項１または請求項２に記載の建具において、
前記外力作用装置は、前記係合部材に対し前記第１位置から前記第２位置に向かう方向に外力を作用させる外力作用部材を有することを特徴とする建具。
【請求項４】
請求項１乃至請求項３のいずれかに記載の建具において、
前記外力作用装置は、前記係合部材が前記第１位置から前記第２位置方向に移動する際に前記係合部材の移動速度を抑制するための速度抑制部材を有することを特徴とする建具。
【請求項５】
請求項１乃至請求項４のいずれかに記載の建具において、
前記外力作用装置は、前記枠体にて形成される開口を前記ドア本体にて閉止する際に前記外力を作用させ、前記第２位置は、前記ドア本体が閉止された状態にて前記移動部材が前記外力作用装置によって保持される位置であることを特徴とする建具。
【請求項６】
請求項１乃至請求項４のいずれかに記載の建具において、
前記外力作用装置は、前記ドア本体を開放する際に前記外力を作用させ、前記第２位置は、前記ドア本体が開放された状態にて前記移動部材が前記外力作用装置によって保持される位置であることを特徴とする建具。
【請求項７】
請求項１乃至請求項４のいずれかに記載の建具において、
前記外力作用装置として、前記枠体にて形成される開口を前記ドア本体にて閉止する際に前記外力を作用させる閉止用外力作用装置と、前記ドア本体を開放する際に前記外力を作用させる開放用外力作用装置とを有し、
前記閉止用外力作用装置における前記第２位置は、前記ドア本体が閉止された状態にて前記移動部材が前記外力作用装置によって保持される位置であり、
前記開放用外力作用装置における前記第２位置は、前記ドア本体が開放された状態にて前記移動部材が前記外力作用装置によって保持される位置であることを特徴とする建具。
【発明の詳細な説明】
【技術分野】
【０００１】
本発明は、枠体と、枠体に対して回動自在なドア本体とを備えた建具に関する。
【背景技術】
【０００２】
従来から、枠体に対して回動自在なドア本体にて、枠体で囲まれた開口を閉止するために、ドア本体を枠体側に引き込むための引き込み装置が知られている（特許文献１参照）。この引き込み装置は、蝶番等で回動自在に支持されたドア本体の、蝶番と反対側の端（反蝶番側端）にロックピンが固定されており、枠体としての、家具の側壁に前記ロックピンと係合してドア本体を閉止状態に引き込むための引き込み機構とを有している。
【０００３】
そして、蝶番側を中心とするドア本体の回動動作に伴ってロックピンは、反蝶番側端の軌道に沿って円弧状に移動する。一方、引き込み機構は、ロックピンと係合する係合部と、係合部を家具の側壁に沿って、奥行方向に移動自在に保持する保持機構と、係合部を家具の奥側に向かって直線的に引き込むための付勢部材と、を有している。
【０００４】
そして、ドア本体が閉まる際には、円弧状に移動しているロックピンが係合部に係合され、付勢部材により直線移動される係合部にロックピンが引き込まれることにより、ドア本体が付勢されつつ回動して閉止される。
【特許文献１】特開２００１−２４５７３８号公報
【発明の開示】
【発明が解決しようとする課題】
【０００５】
しかしながら、上記の引き込み装置は、ドア本体の回動動作に伴って移動するロックピンは円弧状の軌道を移動するので、側壁に沿って直線的に移動する係合部の引き込み方向（移動方向）のみならず、引き込み方向と直交する方向に対しても変位する。このため、引き込み機構を設計する際、及び、組み付ける際には、引き込み方向と直交する方向に対するロックピンの変位も考慮しなければならず煩雑である。また、ロックピンは円弧状の軌道を描くため、直線的に移動する係合部と係合している状態を維持できる距離が短い。このため、ドア本体を引き込む距離が短く制限されてしまい、ドア本体の開閉動作をアシストする機能を発揮できない畏れがあるという課題があった。
【０００６】
本発明の目的とするところは、ドア本体の回動動作に伴う直線的な移動によってドア本体の開閉動作をアシストする機能を備えた建具を提供することにある。
【課題を解決するための手段】
【０００７】
枠体と、前記枠体に対して回動自在なドア本体と、前記ドア本体の回動と連動して、前記枠体及び前記ドア本体のうちの一方に対して直線状に移動する移動部材と、一端部が、前記移動部材に回動可能に連結され、他端部が、前記枠体及び前記ドア本体のうちの他方に回動可能に連結された連結部材と、前記枠体及び前記ドア本体のうちの前記一方に設けられ、前記移動部材が第１位置に達した際に前記移動部材と係合する係合部材を有し、前記移動部材が前記第１位置から第２位置へ移動する間、前記係合部材を介して前記移動部材に外力を作用させる外力作用装置と、を備えたことを特徴とする建具である。  
このような建具によれば、ドア本体の回動と連動して直線状に移動する移動部材が、第１位置から第２位置へ移動する間、移動部材に外力を作用させるので、作用させた外力によりドア本体の回動動作をアシストすることが可能である。すなわち、ドア本体の回動動作に伴う直線的な移動によってドア本体の回動動作をアシストする機能を備えることが可能である。
【０００８】
かかる建具において、前記外力作用装置は、前記移動部材が前記第２位置に至ったときに前記係合部材を保持する保持機構を有することが望ましい。  
このような建具によれば、外力作用装置は、移動部材が第２位置に至ったときに前記係合部材を保持する保持機構を有するので、係合部材が保持されることにより、係合部材に係合された移動部材も第２位置にて保持されることになる。このため、移動部材と連動して回動するドア本体の回動動作を、移動部材が第２位置に保持されたときの状態で停止させることが可能である。
【０００９】
かかる建具において、前記外力作用装置は、前記係合部材に対し前記第１位置から前記第２位置に向かう方向に外力を作用させる外力作用部材を有することが望ましい。  
このような建具によれば、外力作用装置により、係合部材に対して第１位置から第２位置に向かう方向に外力が作用するので、第１位置にて係合部材と係合した移動部材に、第１位置から前記第２位置に向かう方向の外力を容易に作用させることが可能である。
【００１０】
かかる建具において、前記外力作用装置は、前記係合部材が前記第１位置から前記第２位置方向に移動する際に前記係合部材の移動速度を抑制するための速度抑制部材を有することが望ましい。  
このような建具によれば、速度抑制部材により、第１位置から第２位置に向かう方向に移動する係合部材の移動速度を抑制することが可能である。このため、係合部材が第１位置から第２位置へ移動する際におけるドア本体の回動動作の動作速度を抑制することが可能である。
【００１１】
かかる建具において、前記外力作用装置は、前記枠体にて形成される開口を前記ドア本体にて閉止する際に前記外力を作用させ、前記第２位置は、前記ドア本体が閉止された状態にて前記移動部材が前記外力作用装置によって保持される位置であることが望ましい。  
このような建具によれば、ドア本体にて開口を閉止する際に外力を作用させてドア本体の回動動作をアシストするので、ドア本体を最後まで閉止しなくとも、移動部材が第１位置に移動するまでドア本体を閉じると開口を閉止することが可能である。また、ドア本体が開口を閉止した状態では、移動部材が外力作用装置により保持されているので、ドア本体にて開口が閉止された状態を維持させることが可能である。
【００１２】
かかる建具において、前記外力作用装置は、前記ドア本体を開放する際に前記外力を作用させ、前記第２位置は、前記ドア本体が開放された状態にて前記移動部材が前記外力作用装置によって保持される位置であることとしてもよい。  
このような建具によれば、開口を開放する際に外力を作用させてドア本体の回動動作をアシストするので、ドア本体を最後まで開放しなくとも、移動部材が第１位置に移動するまでドア本体を開くと、開口を開放することが可能である。また、ドア本体が開放された状態では、移動部材が外力作用装置により保持されているので、ドア本体が開放された状態を維持させることが可能である。
【００１３】
かかる建具において、前記外力作用装置として、前記枠体にて形成される開口を前記ドア本体にて閉止する際に前記外力を作用させる閉止用外力作用装置と、前記ドア本体を開放する際に前記外力を作用させる開放用外力作用装置とを有し、前記閉止用外力作用装置における前記第２位置は、前記ドア本体が閉止された状態にて前記移動部材が前記外力作用装置によって保持される位置であり、前記開放用外力作用装置における前記第２位置は、前記ドア本体が開放された状態にて前記移動部材が前記外力作用装置によって保持される位置であることとしてもよい。  
このような建具によれば、ドア本体にて開口を閉止する際には、ドア本体を閉止する方向における第１位置に移動部材が移動するまでドア本体を閉じることにより開口を閉止することが可能であり、開口をする際には、ドア本体を開放する方向における第１位置に移動部材が移動するまでドア本体を開くことにより開口を開放することが可能である。また、移動部材が外力作用装置により第２位置に保持されることにより、ドア本体により開口が閉止された状態を維持させること、開口が開放された状態を維持させることが可能である。
【発明の効果】
【００２１】
本発明の建具によれば、ドア本体の回動動作に伴う直線的な移動によってドア本体の回動動作をアシストする機構を備えた建具を提供することができるという効果がある。
【発明を実施するための最良の形態】
【００２２】
以下、本発明の一実施形態に係る建具について図面を参照して説明する。ここでは、本実施形態の建具が、浴室の出入口として浴室と脱衣室との間に設けられている例について説明する。
【００２３】
図１は、本実施形態に係る建具を示す正面図である。  
図１に示すように、建具１は、浴室と脱衣室との間に取り付けられる枠体１０と、当該枠体１０に対して回動自在なドア本体としての浴室ドア２０とを備えている。浴室ドア２０は、図１において左側のＥ部にて軸支されている。  
枠体１０は、上枠１１と、下枠１２と、左右の縦枠１３とを枠組みして形成されている。上枠１１、下枠１２、及び、左右の縦枠１３は、アルミニウム製で押出加工により形成されており、それぞれ浴室の出入口の壁端部、防水パン、脱衣室の床などにねじ止めされている。
【００２４】
本実施形態の浴室ドア２０は、透光性を有し板状をなす樹脂製又はガラス製の２枚の面材２１が、中桟２６を挟んで上下に配置されている。そして、２枚の面材２１の左側に位置し、浴室ドア２０が軸支されている側に配置された吊元框２２と、面材２１の右側に配置される戸先框２３と、浴室ドア２０の上端部に配置される上框２４と、下端部に配置される下框２５と、ユーザーが開閉操作するための開閉レバー１５と、を有している。  
吊元框２２、戸先框２３、上框２４、及び、下框２５は、いずれもアルミニウム製で押出加工により形成された中空棒状の部材である。
【００２５】
本実施形態の建具１は、上部に浴室ドア２０の開閉動作をアシストする開閉アシスト機構３０が設けられている。
【００２６】
図２は、建具の上部に備えられた開閉アシスト機構を説明するための図である。図３は、上框に設けられた溝部を示す図である。図４は、浴室ドアの開閉動作を説明するための平面図であり、（ａ）は、浴室ドアにより開口が閉止されている状態を示す平面図、（ｂ）は、浴室ドアの閉止状態と開放状態とのほぼ中間の状態を示す平面図、（ｃ）は、浴室ドアが開放された状態を示す平面図である。図４（ａ）〜図４（ｃ）にて浴室ドアの回動と連動して移動するスライダーの動作を示しているが、図を見やすくするために上框２４の溝部２４ａは省略している。
【００２７】
開閉アシスト機構３０は、上框２４内を、その長手方向に沿って直線状に移動する移動部材としてのスライダー３１と、当該スライダー３１に外力を作用させるための外力作用装置５０と、上枠１１の下面１１ａに取り付けられた回動支持プレート３３と、前記回動支持プレート３３とスライダー３１とに各々回動可能に連結された連結部材３４とを有している。本実施形態においては、外力作用装置５０として、枠体１０にて形成される開口１０ａを浴室ドア２０にて閉止する際に外力を作用させる閉止用外力作用装置５０ａと、浴室ドア２０を開放する際に外力を作用させる開放用外力作用装置５０ｂとを有している。閉止用外力作用装置５０ａの構造と開放用外力作用装置５０ｂの構造とは同じであるが、各々の外力作用装置５０を、スライダー３１を挟んで相反する位置に配置するとともに、互いに反対方向に外力が作用するように取り付けることにより、一方が閉止用外力作用装置５０ａとして機能し、他方が開放用外力作用装置５０ｂとして機能する。
【００２８】
図３に示すように上框２４は、上方が開放されており、内部には上下に空間を仕切る中底２４ｂを有しており、中底２４ｂに、スライダー３１が移動するための溝部２４ａが上框２４の長手方向に沿って凹設されている。
【００２９】
スライダー３１は、上框２４に設けられた溝部２４ａの幅より僅かに狭い幅を有するほぼ直方体状の本体３１ａと、スライダー３１の移動方向における相反する方向に本体３１ａからそれぞれ突出された２つのフック部３１ｂを有し、本体３１ａの上部には、連結部材３４に設けられた、後述する係合ピン３４ｃが挿入される挿入穴３１ｃが設けられている。
【００３０】
上枠１１の下面１１ａに取り付けられた回動支持プレート３３には連結部材３４の他端部３４ｂが回動自在に支持されており、連結部材３４の一端部３４ａには、スライダー３１の挿入穴３１ｃに回動自在に挿入された係合ピン３４ｃが設けられている。このとき、浴室ドア２０が軸支されているＡ点と、回動支持プレート３３に連結部材３４が軸支されているＢ点とは相違している。すなわち、Ａ点は、浴室ドア２０の回動中心であり、Ｂ点は、連結部材３４回動中心であり、これらＡ点及びＢ点はいずれも、浴室ドア２０が回動しても移動しない。
【００３１】
そして、浴室ドア２０にて開口１０ａを閉止した状態では、上枠１１、上框２４、及び連結部材３４は、ほぼ同一の方向に沿って重なるように配置されている。すなわち、Ａ点、Ｂ点、及び連結部材３４の係合ピン３４ｃがスライダー３１に挿入されているＣ点とは、開口１０ａを形成する枠体１０の上枠１１にほぼ沿うような直線上に位置しているので、スライダー３１の移動範囲における最も戸先框２３側にスライダー３１が位置している（図４（ａ）参照）。このときのスライダー３１の位置が、外力作用装置５０が閉止用外力作用装置５０ａとして用いられている場合における第２位置である。
【００３２】
そして、浴室ドア２０を開いていくと、浴室ドア２０の回動に伴って、上框２４の溝部２４ａに沿って移動するスライダー３１は、浴室ドア２０と共に上枠１１から離れていく。このときスライダー３１は、係合ピン３４ｃを介して連結部材３４の一端部３４ａと連結されているので、Ｂ点を中心とする連結部材３４の回動を伴って吊元框２２側に移動される。また、浴室ドア２０が開かれることにより、上枠１１と上框２４とがなす角度、及び、上枠１１と連結部材３４とがなす角度が大きくなっていく。
【００３３】
このとき、上框２４（浴室ドア２０）の回転中心Ａ点と、連結部材３４の回転中心Ｂ点は、上枠２０に沿う方向に僅かに間隔を隔てて固定されているので、上枠１１と上框２４とがなす角度と、上枠１１と連結部材３４とがなす角度とは相違している。そして、上框２４と連結部材３４とは、回転中心Ａ点、Ｂ点側では上枠２０に沿う方向に離れており、上框２４上において係合ピン３４ｃ及びスライダー３１を介して係合されるため、係合ピン３４ｃ側に向かうに連れて重なるように配置される。
【００３４】
また、Ａ点とＣ点とを結ぶ線上から、Ｂ点が次第に離れていくことにより、連結部材３４と浴室ドア２０とのなす角度が大きくなり、連結部材３４の一端部３４ａと係合ピン３４ｃを介して連結されているスライダー３１は吊元框２２側に引き寄せられ、スライダー３１は閉止用外力作用装置５０ａから外れてフリーな状態となる（図４（ｂ）参照）。このとき、浴室ドア２０の回動に連動してスライダー３１が直線状に移動する。スライダー３１の移動に伴う外力作用装置５０の動作については後述する。
【００３５】
さらに浴室ドア２０を開いていくと、スライダー３１は浴室ドア２０と共に上枠１１から更に離れていく。このとき、浴室ドア２０の回動に伴って連結部材３４も回動し、浴室ドア２０及び連結部材３４と上枠１１とのなす角度が更に大きくなり、スライダー３１は吊元框２２側に更に引き寄せられる。そして、Ｂ点が、Ａ点とＣ点とを結ぶ線上から更に離れて、スライダー３１が吊元框２２側に移動されて開放用外力作用装置５０ｂと係合する。その後、連結部材３４と浴室ドア２０とのなす角度がほぼ直角となり、連結部材３４の一端部３４ａと連結されているスライダー３１が、スライダー３１の移動範囲における最も吊元框２２側に引き寄せられ、浴室ドア２０は開放状態となる（図４（ｃ）参照）。すなわち、浴室ドア２０を開いていくと、上框２４（浴室ドア２０）及び連結部材３４と上枠１１とがなす角度がほぼ直角となる位置で浴室ドア２０が開放状態となる。このとき、係合ピン３４ｃは、上框２４（浴室ドア２０）の回転中心Ａ点と、連結部材３４の回転中心Ｂ点とからほぼ等距離に位置し、上框２４は連結部材３４側に、連結部材３４は上框２４側に僅かに傾斜した状態となり、上框２４と連結部材３４とのなす角度が最大となる。このときのスライダー３１の位置が、外力作用装置５０が開放用外力作用装置５０ｂとして用いられている場合における第２位置である。
【００３６】
前述したように閉止用外力作用装置５０ａと開放用外力作用装置５０ｂとの構造は、同様であるため、ここでは外力作用装置５０として、その動作について説明する。
【００３７】
図５は、浴室ドア開閉動作時におけるスライダーと外力作用装置との様子を説明するための図であり、（ａ）は、スライダーが離れた状態の外力作用装置の様子を示す図、（ｂ）は、スライダーのフック部が係合部材と係合した際の様子を示す図、（ｃ）は、スライダーが第２位置に至った際の様子を示す図である。図６は、図５（ｃ）の平面図である。
【００３８】
外力作用装置５０は、上框２４に設けられた溝部２４ａの脇、すなわち中底２４ｂにおいて溝部２４ａより一段高い部位２４ｃに固定される本体プレート部５１と、前記スライダー３１の移動方向に沿って本体プレート部５１の壁面５１ａを移動可能に設けられた移動ガイド部材５２と、移動ガイド部材５２の一端に回動自在に設けられた係合部材５３と、係合部材５３と本体プレート部５１のフックピン５６との間に架け渡され、移動方向において係合部材５３を浴室ドア２０の中央から縦框（吊元框２２、戸先框２３）方向に外力を作用させるための外力作用部材としての引張バネ５４と、移動ガイド部材５２と共に移動する係合部材５３の移動速度を抑制するための速度抑制部材としての流体ダンパー５５とを有している。
【００３９】
本体プレート部５１は、溝部２４ａの底面と垂直な壁面５１ａを有し、当該壁面５１ａが溝部２４ａと同じ方向に沿うように固定されている。本体プレート部５１の壁面５１ａには、移動ガイド部材５２が移動する際の軌道を規制するガイド部材用規制穴５１ｂと、係合部材５３が移動する際の軌道を規制する係合部材用規制穴５１ｃとが設けられている。ガイド部材用規制穴５１ｂは、溝部２４ａと平行に形成されており、係合部材用規制穴５１ｃは、溝部２４ａと平行に形成された平行ガイド部位５１ｄと、平行ガイド部位５１ｄのスライダー３１側の端部にて僅かに弧を描ように上方に延長された回動ガイド部位５１ｅとを有している。また、本体プレート部５１には、スライダー３１と反対側に位置させて引張バネ５４が掛けられるフックピン５６が設けられている。
【００４０】
移動ガイド部材５２は、ほぼ角柱状の部材であり、本体プレート部５１と対向する側の面に２本のピン５２ａが突出され、下面にラック５２ｂが設けられている。２本のピン５２ａは、移動ガイド部材５２の移動方向に間隔を隔てて設けられており、本体プレート部５１に設けられたガイド部材用規制穴５１ｂに挿通されている。下面に設けられたラック５２ｂは、後述する速度抑制部材としての流体ダンパー５５に設けられたピニオン５５ａと噛み合うように構成されている。また、移動ガイド部材５２のスライダー３１側には、係合部材５３が回動自在にピン結合されている。
【００４１】
係合部材５３は、Ｕ字状に形成された係合本体部５３ａと、Ｕ字の開放された側が下方に向けられた係合本体部５３ａから上方に延出されて、移動ガイド部材５２とピン結合される結合部５３ｅとを有している。係合本体部５３ａは、外力作用装置５０として組み付けられた状態にて、ほぼ上下方向に向けられるとともに、スライダー３１の移動方向に互いに間隔を隔てて配置される２本の腕部５３ｂ、５３ｃと、２本の腕部５３ｂ、５３ｃの上端を連結する連結部５３ｄとを有している。スライダー３１側に位置する腕部５３ｂはスライダー３１の反対側に位置する腕部５３ｃより細く形成されている。連結部５３ｄには、本体プレート部５１側に１本の回動ピン５３ｆが突出されており、本体プレート部５１に設けられた係合部材用規制穴５１ｃに挿通されている。また、係合本体部５３ａより上方に延出された結合部５３ｅの下端側には移動ガイド部材５２がピン結合されており、上端部側には引張バネ５４が掛けられている。
【００４２】
すなわち、係合部材５３と移動ガイド部材５２とはピン結合されており、各々互いに移動方向と平行に設けられた係合部材用規制穴５１ｃとガイド部材用規制穴５１ｂとに挿通されているため、スライダー３１の移動方向に沿って一体となって移動する。また、係合部材５３には、結合部５３ｅの上端側に掛けられている引張バネ５４により、スライダーとは反対方向に引っ張り力が作用している。そして、係合部材５３は、移動ガイド部材５２とピン結合されているため、ピン結合部５７を中心として回転する方向に引っ張り力が作用する。ところが、係合部材５３は、係合部材用規制穴５１ｃに挿通された回動ピン５３ｆにより軌道が規制されているため、回動ピン５３ｆが平行ガイド部位５１ｄを移動している際には係合部材５３は回動することなく、Ｕ字状の開放部がほぼ真下を向いた状態で移動し、回動ピン５３ｆが回動ガイド部位５１ｅに到達した際に、係合部材５３が回動し、Ｕ字状の開放部がスライダー３１側に向いて傾くように構成されている。このとき、引張バネ５４の引っ張り力にて回動された係合部材５３の回動ピン５３ｆが回動ガイド部位５１ｅの上端部に当接されて、Ｕ字状の開放部がスライダー３１側に向いて傾いた状態が維持される。
【００４３】
そして、スライダー３１が外力作用装置５０に近づく際には（図５（ａ）参照）、フック部３１ｂの先端が２本の腕部５３ｂ、５３ｃのうちスライダー３１と反対の側に位置する腕部５３ｃに当接し、スライダー３１がさらに移動することにより、フック部３１ｂに押されて係合部材５３が回動し、Ｕ字状の開放部がほぼ真下を向いてフック部３１ｂの爪３１ｄにスライダー３１側の腕部５３ｂが係合される（図５（ｂ）参照）。フック部３１ｂの爪３１ｄと係合部材５３の腕部５３ｂとが係合された位置が第１位置である。このとき、フック部３１ｂに押された係合部材５３の回動ピン５３ｆは、回動ガイド部位５１ｅから平行ガイド部位５１ｄに至り、フック部３１ｂが連結部材３４によりスライドされる力と引張バネ５４の引っ張り力とにより、スライダー３１、係合部材５３及び移動ガイド部材５２が一体となって、スライダー３１の移動範囲の端（第２位置）まで移動される（図５（ｃ）参照）。この移動範囲の端（第２位置）まで移動された状態においても引張バネ５４による引っ張り力が作用するように構成している。すなわち、外力作用装置５０は、引張バネ５４の引っ張り力により係合部材５３を縦框側に保持する保持機構を有しており、閉止用外力作用装置５０ａとして用いられる際には係合部材５３を戸先框２３側に保持し、開放用外力作用装置５０ｂとして用いられる際には吊元框２２側に保持する。尚、係合部材５３とフック部３１ｂとが係合した後には、スライダー３１に連結部材３４によるスライド方向の力が作用しなくとも、引張バネ５４の引っ張り力により浴室ドア２０は動作し続けるように構成されている。
【００４４】
流体ダンパー５５は、回動する軸部５５ｂを有し、この軸部５５ｂには、前述した移動ガイド部材５２に設けられたラック５２ｂと噛み合うピニオン５５ａが設けられている。このため、ラック５２ｂを有する移動ガイド部材５２を緩やかに移動させるような力が作用した場合には、そのままピニオン５５ａが回動され、移動ガイド部材５２を急激に移動させるような力が作用した場合には、流体ダンパー５５の粘性により外力を作用させて移動ガイド部材５２を緩やかに移動させる。このため、浴室ドア２０が、急激に開閉されるように操作された場合であっても、浴室ドア２０が急激に回動しないように構成されている。
【００４５】
図７は、浴室ドア開閉動作時における開閉アシスト機構の状態を説明するための図であり、（ａ）は、浴室ドアを閉止したときの開閉アシスト機構の状態を示す図、（ｂ）は、浴室ドアが閉止状態と開放状態とのほぼ中間に位置するときの開閉アシスト機構の状態を示す図、（ｃ）は、浴室ドアを開放したときの開閉アシスト機構の状態を示す図である。図７（ａ）〜図７（ｃ）においては、回動支持プレート３３と連結部材３４とを省略しているが、図７（ａ）は図４（ａ）と、図７（ｂ）は図４（ｂ）と、図７（ｃ）は図４（ｃ）とそれぞれ対応しおり、連結部材３４の動作は、図４（ａ）〜図４（ｃ）に示されている。
【００４６】
本実施形態における建具１の動作を説明する。  
浴室ドア２０が閉止された状態では、図４（ａ）に示すように、連結部材３４と浴室ドア２０とがほぼ平行に位置しており、図７（ａ）に示すように、スライダー３１のフック部３１ｂが閉止用外力作用装置５０ａの係合部材５３と係合してスライダー３１は、最も戸先框２３側（第２位置）にて保持されている。このとき、図５（ｃ）のように、スライダー３１には係合部材５３を介して引張バネ５４による外力が作用しているので、浴室ドア２０が閉止された状態にて保持される。
【００４７】
ユーザー等が浴室ドア２０を開き始めると、スライダー３１は浴室ドア２０の回動と連動して、連結部材３４により吊元框２２側に引っ張られて移動する。このとき、スライダー３１は、引張バネ５４を伸ばしつつ、係合部材５３と移動ガイド部材５２とともに移動する。また、係合部材５３には、スライダー３１を介して連結部材３４に引っ張られる力と、引張バネ５４の引っ張り力とにより、ピン結合部５７を中心とする回転モーメントが作用するが、係合部材５３に設けられた回動ピン５３ｆが平行ガイド部位５１ｄにより規制されているため係合部材５３は回動することなく移動する。このため、回動ピン５３ｆが平行ガイド部位５１ｄ内を移動しているときには、スライダー３１と係合部材５３との係合状態が維持されて、スライダー３１、係合部材５３、移動ガイド部材５２は一体となって移動する。
【００４８】
そして、浴室ドア２０を開き続けると、回動ピン５３ｆが回動ガイド部位５１ｅに至ったときに、すなわち第１位置に至ったときに、係合部材５３に作用している回転モーメントにより係合部材５３がスライダー３１側に回動する。係合部材５３の回動によりスライダー３１と係合部材５３との係合が外れ、図５（ａ）及び図７（ｂ）に示すようにスライダー３１はフリーな状態となる。
【００４９】
ユーザーがさらに浴室ドア２０を開き続けると、閉止用外力作用装置５０ａと反対の側に設けられた開放用外力作用装置５０ｂに、スライダー３１が近づく。このとき、開放用外力作用装置５０ｂの係合部材５３は、図５（ａ）に示すように回動ピン５３ｆが回動ガイド部位５１ｅの上端に位置し、係合部材５３のＵ字状の開放部が戸先框２３側に向けられて傾いている。この状態にてスライダー３１が係合部材５３に接触すると、フック部３１ｂの先端が２本の腕部５３ｂ、５３ｃのうちスライダー３１と反対の側に位置する腕部５３ｃに当接し、スライダー３１がさらに移動することにより、フック部３１ｂに押されて係合部材５３が回動し、Ｕ字状の開放部がほぼ真下を向いてフック部３１ｂの爪３１ｄにスライダー３１側の腕部５３ｂが係合される（図５（ｂ）参照）。その後、係合部材５３には引張バネ５４の引っ張り力が作用しているので、スライダー３１、係合部材５３及び移動ガイド部材５２が一体となって、スライダー３１の移動範囲における吊元框２２側の端まで移動される（図５（ｃ）参照）。このとき、係合部材５３の回動ピン５３ｆが平行ガイド部位５１ｄに規制されて回動しないため、スライダー３１、係合部材５３との係合状態が維持されている。また、図５（ｃ）のようにスライダー３１が、移動範囲における吊元框２２側の端に達した後にも、スライダー３１には係合部材５３を介して引張バネ５４による外力が作用しているので、浴室ドア２０が開放された状態にて保持される。
【００５０】
また、浴室ドア２０が開放された状態から、ユーザー等が浴室ドア２０を閉じ始めると、浴室ドア２０を開く際と逆の動作が実行される。すなわち、スライダー３１は浴室ドア２０の回動と連動して、開放用外力作用装置５０ｂの連結部材３４により戸先框２３側に引っ張られて係合部材５３、移動ガイド部材５２は一体となって移動する。
【００５１】
そして、回動ピン５３ｆが回動ガイド部位５１ｅに至ったときに係合部材５３がスライダー３１側に回動して、スライダー３１と係合部材５３との係合が外れ、図５（ａ）及び図７（ｂ）に示すようにスライダー３１はフリーな状態となる。
【００５２】
さらに浴室ドア２０を開き続けると、開放用外力作用装置５０ｂと反対の側に設けられた閉止用外力作用装置５０ａの係合部材５３にスライダー３１が係合される（図５（ｂ）参照）。その後、閉止用外力作用装置５０ａの引張バネ５４の引っ張り力により、スライダー３１、係合部材５３及び移動ガイド部材５２が一体となって、スライダー３１の移動範囲における戸先框２３側の端まで移動される。図５（ｃ）のようにスライダー３１が、スライド範囲における戸先框２３側の端に達した後にも、スライダー３１には係合部材５３を介して引張バネ５４による外力が作用しているので、浴室ドア２０が閉止された状態にて保持される。
【００５３】
そして、このような一連の開閉動作の間には、閉止用外力作用装置５０ａ及び開放用外力作用装置５０ｂの移動ガイド部材５２にラック５２ｂとピニオン５５ａとを介して流体ダンパー５５が作用しているので、ユーザーが浴室ドア２０を急激に開閉したとしても、浴室ドア２０に衝撃を与えたり、浴室ドア２０を誤って壁等にぶつけること防止することが可能である。
【００５４】
本実施形態の建具１によれば、浴室ドア２０を閉止する際、及び、開放する際において、スライダー３１が閉止用外力作用装置５０ａ及び開放用外力作用装置５０ｂの係合部材５３と係合されるまで操作するだけで、浴室ドア２０を閉止状態及び開放状態にすることが可能である。特に、閉止用外力作用装置５０ａ及び開放用外力作用装置５０ｂを、浴室ドア２０の回動と連動して直線状に移動するスライダー３１が、係合部材５３と係合される位置（第１位置）から、スライダー３１の移動範囲の端へ移動する間、スライダー３１に引張バネ５４の引っ張り力が作用する構成としたので、スライダー３１に外力を確実に且つ安定的に付勢させることが可能である。よって、浴室ドア２０の回動動作に伴う直線的な移動によって、浴室ドア２０の回動動作をアシストする機構３０を備えることが可能である。
【００５５】
また、閉止用外力作用装置５０ａ及び開放用外力作用装置５０ｂは、スライダー３１の移動範囲の両端部にて、スライダー３１を保持することが可能なので、浴室ドア２０を閉止させた状態及び開放した状態にて維持させることが可能である。
【００６９】
＝＝＝その他の実施形態＝＝＝
上記の実施形態は、建具の一例として浴室ドアについて記載しているが、この実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。特に、以下に述べる実施形態であっても、本発明に含まれるものである。
【００７０】
上記実施形態においては、枠体に対して回動自在なドア本体を浴室ドアとしたが、浴室ドアに限らず、玄関ドアや室内ドアなど回動自在な障子であれば構わない。
【００７１】
上記実施形態においては、枠体１０側に回動支持プレート３３を備え、浴室ドア２０の上框２４内にスライダー３１及び外力作用装置５０を備え、回動支持プレート３３とスライダー３１とを連結部材３４にて連結した例について説明したが、枠体１０側にスライダー３１及び外力作用装置５０を備え、浴室ドア２０の上框２４に回動支持プレート３３を備え、回動支持プレート３３とスライダー３１とを連結部材３４にて連結してもよい。
【００７２】
また、上記実施形態においては、外力作用装置５０として、浴室ドア２０を閉止する際に作用する閉止用外力作用装置５０ａと浴室ドア２０を開放する際に作用する開放用外力作用装置５０ｂとをいずれも備えた例について説明したが、閉止用外力作用装置５０ａと開放用外力作用装置５０ｂとのいずれか一方を備えた構成であってもよい。
【００７３】
上記実施形態においては、速度抑制部材を流体ダンパーとしたが、これに限らず、摩擦ダンパー等であっても構わない。
【図面の簡単な説明】
【００７４】
【図１】本実施形態に係る建具を示す正面図である。
【図２】建具の上部に備えられた開閉アシスト機構を説明するための図である。
【図３】上框に設けられた溝部を示す図である。
【図４】浴室ドアの開閉動作を説明するための平面図である。
【図５】浴室ドア開閉動作時におけるスライダーと外力作用装置との様子を説明するための図である。
【図６】図５（ｃ）の平面図である。
【図７】浴室ドア開閉動作時における開閉アシスト機構の状態を説明するための図である。
【符号の説明】
【００７５】
１  建具、１０  枠体、１０ａ  開口、１１  上枠、１１ａ  下面、
１２  下枠、１３  縦枠、１５  開閉レバー、２０  浴室ドア、
２１  面材、２２  吊元框、２３  戸先框、２４  上框、
２４ａ  溝部、２４ｂ  中底、２４ｃ  一段高い部位、
２５  下框、２６  中桟、３０  開閉アシスト機構、３１  スライダー、
３１ａ  本体、３１ｂ  フック部、３１ｃ  挿入穴、３１ｄ  爪、
３３  回動支持プレート、３４  連結部材、
３４ａ  一端部、３４ｂ  他端部、３４ｃ  係合ピン、
５０  外力作用装置、５０ａ  閉止用外力作用装置、５０ｂ  開放用外力作用装置、
５１  本体プレート部、５１ａ  壁面、５１ｂ  ガイド部材用規制穴、
５１ｃ  係合部材用規制穴、５１ｄ  平行ガイド部位、５１ｅ  回動ガイド部位、
５２  移動ガイド部材、５２ａ  ピン、５２ｂ  ラック、
５３  係合部材、５３ａ  係合本体部、５３ｂ  腕部（スライダー側）、
５３ｃ  腕部（スライダーと反対側）、５３ｄ  連結部、５３ｅ  結合部、
５３ｆ  回動ピン、５４  引張バネ、５５  流体ダンパー、
５５ａ  ピニオン、５５ｂ  軸部、５６  フックピン、５７  結合部、
【図１】
0004683422.tif 000002
【図２】
0004683422.tif 000003
【図３】
0004683422.tif 000004
【図４】
0004683422.tif 000005
【図５】
0004683422.tif 000006
【図６】
0004683422.tif 000007
【図７】
0004683422.tif 000008